(57)【特許請求の範囲】
【請求項１】
無線通信システムにおける基地局の動作方法であって、
端末からのｅｒｔＰＳ（ｅｘｔｅｎｄｅｄ  ｒｅａｌ−ｔｉｍｅ  Ｐｏｌｌｉｎｇ  Ｓｅｒｖｉｃｅ）コネクションの再開を要請するためのＣＱＩＣＨ（Ｃｈａｎｎｅｌ  Ｑｕａｌｉｔｙ  Ｉｎｄｉｃａｔｏｒ  ＣＨａｎｎｅｌ）コードワードを受信する過程と、
前記端末の保有した複数のｅｒｔＰＳコネクションのうち、最大保障送信率の最大値に対応するアップリンク資源を前記端末に割り当てる過程と、
を含むことを特徴とする方法。
【請求項２】
前記最も大きな最大保障送信率に対応するアップリンク資源を前記端末に割り当てる過程は、
前記端末の少なくとも一つの中止されたｅｒｔＰＳコネクションの最大保障送信率のうち、最も大きな最大保障送信率に対応するアップリンク資源を前記端末に割り当てる過程を含むことを特徴とする請求項１に記載の方法。
【請求項３】
前記アップリンク資源を介してｅｒｔＰＳ  ＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔｅ  Ｕｎｉｔ）を受信する過程と、
前記ｅｒｔＰＳ  ＭＡＣ  ＰＤＵに対応するｅｒｔＰＳコネクションに対してスケジューリングを再開する過程と、
をさらに含むことを特徴とする請求項１に記載の方法。
【請求項４】
再開されるｅｒｔＰＳコネクションの少なくとも１つを表すビットマップを含む拡張サブヘッダ（ｅｘｔｅｎｄｅｄ  ｓｕｂｈｅａｄｅｒ）を受信する過程と、
前記拡張サブヘッダ内のビットマップを介して再開される少なくとも１つのｅｒｔＰＳコネクションを識別する過程と、
前記拡張サブヘッダを介して識別された少なくとも１つのｅｒｔＰＳコネクションに対してアップリンク資源を割り当てる過程と、をさらに含むことを特徴とする請求項３に記載の方法。
【請求項５】
無線通信システムにおける端末の動作方法であって、
中止された複数のｅｒｔＰＳコネクションのうち、少なくとも一つを再開しようとする場合、待機中である（ｐｅｎｄｉｎｇ）ｅｒｔＰＳデータの存在を知らせるためのＣＱＩＣＨ（Ｃｈａｎｎｅｌ  Ｑｕａｌｉｔｙ  Ｉｎｄｉｃａｔｏｒ  ＣＨａｎｎｅｌ）コードワードを送信する過程と、
前記少なくとも一つのｅｒｔＰＳコネクションの少なくとも一つのｅｒｔＰＳ  ＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔｅ  Ｕｎｉｔ）を生成する過程と、
前記ＣＱＩＣＨコードワードの送信によりアップリンク資源が割り当てられると、前記少なくとも一つのｅｒｔＰＳ  ＭＡＣ  ＰＤＵを送信する過程と、
を含み、
前記アップリンク資源は、前記端末の保有した複数のｅｒｔＰＳコネクションのうち、最大保障送信率の最大値に対応することを特徴とする方法。
【請求項６】
前記ｅｒｔＰＳ  ＭＡＣ  ＰＤＵは、前記少なくとも一つのｅｒｔＰＳコネクションを表すビットマップを含む拡張サブヘッダ（ｅｘｔｅｎｄｅｄ  ｓｕｂｈｅａｄｅｒ）を含むことを特徴とする請求項５に記載の方法。
【請求項７】
無線通信システムにおける基地局装置であって、
端末からのｅｒｔＰＳコネクションの再開を要請するためのＣＱＩＣＨコードワードを受信する受信部と、
前記端末が保有した複数のｅｒｔＰＳコネクションのうち、最大保障送信率の最大値に対応するアップリンク資源を前記端末に割り当てる制御部と、
を備えることを特徴とする装置。
【請求項８】
前記制御部は、前記端末の少なくとも一つの中止されたｅｒｔＰＳコネクションの最大保障送信率のうち、最も大きな最大保障送信率に対応するアップリンク資源を前記端末に割り当てることを特徴とする請求項７に記載の装置。
【請求項９】
前記受信部は、前記アップリンク資源を介してｅｒｔＰＳ  ＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔｅ  Ｕｎｉｔ）を受信し、
前記制御部は、前記ｅｒｔＰＳ  ＭＡＣ  ＰＤＵに対応するｅｒｔＰＳコネクションに対してスケジューリングを再開することを特徴とする請求項７に記載の装置。
【請求項１０】
前記受信部は、再開されるｅｒｔＰＳコネクションの少なくとも１つを表すビットマップを含む拡張サブヘッダ（ｅｘｔｅｎｄｅｄ  ｓｕｂｈｅａｄｅｒ）を受信し、
前記制御部は、前記拡張サブヘッダ内のビットマップを介して再開される少なくとも１つのｅｒｔＰＳコネクションを識別し、前記拡張サブヘッダを介して識別された少なくとも１つのｅｒｔＰＳコネクションに対してアップリング資源を割り当てることを特徴とする請求項９に記載の装置。
【請求項１１】
無線通信システムにおける端末装置であって、
中止された複数のｅｒｔＰＳコネクションのうち、少なくとも一つを再開しようとする場合、待機中である（ｐｅｎｄｉｎｇ）ｅｒｔＰＳデータの存在を知らせるためのＣＱＩＣＨコードワードを送信する送信機と、
前記少なくとも一つのｅｒｔＰＳコネクションの少なくとも一つのｅｒｔＰＳ  ＭＡＣ  ＰＤＵを提供するデータバッファと、
前記ＣＱＩＣＨコードワードの送信によりアップリンク資源が割り当てられると、前記少なくとも一つのｅｒｔＰＳ  ＭＡＣ  ＰＤＵを送信するように制御する制御部と、
を備え、
前記アップリンク資源は、前記端末の保有した複数のｅｒｔＰＳコネクションのうち、最大保障送信率の最大値に対応することを特徴とする装置。
【請求項１２】
前記ｅｒｔＰＳ  ＭＡＣ  ＰＤＵは、前記少なくとも一つのｅｒｔＰＳコネクションを表すビットマップを含む拡張サブヘッダを含むことを特徴とする請求項１１に記載の装置。
【請求項１３】
無線通信システムにおける基地局の動作方法であって、
再開されるｅｒｔＰＳコネクションの少なくとも１つを表すビットマップを含む拡張サブヘッダ（ｅｘｔｅｎｄｅｄ  ｓｕｂｈｅａｄｅｒ）を受信する過程と、
前記拡張サブヘッダを介して識別された少なくとも１つのｅｒｔＰＳコネクションに対してアップリンク資源を割り当てる過程と、
前記ビットマップを構成するビットの各々は、各ｅｒｔＰＳコネクションの再開の有無を表し、
前記ビットは、昇順又は降順にサービスフロー識別子（ＳＦＩＤ：Ｓｅｒｖｉｃｅ  Ｆｌｏｗ  ＩＤｅｎｔｉｆｉｅｒ）にマッピングされたことを特徴とする方法。
【請求項１４】
前記ビットマップは、前記端末の保有したすべてのｅｒｔＰＳコネクションの再開の有無を表すことを特徴とする請求項１３に記載の方法。
【請求項１５】
前記ビットマップは、中止されたｅｒｔＰＳコネクションのみの再開の有無を表すことを特徴とする請求項１３に記載の方法。
【請求項１６】
無線通信システムにおける端末の動作方法であって、
中止された複数のｅｒｔＰＳコネクションのうち、少なくとも一つを再開しようとする場合、前記少なくとも一つのｅｒｔＰＳコネクションを表すビットマップを含む拡張サブヘッダを含むｅｒｔＰＳ  ＭＡＣ  ＰＤＵを送信する過程と、
前記拡張サブヘッダを介して識別された少なくとも１つのｅｒｔＰＳコネクションに対するアップリンク資源の割り当てを受信する過程と、
を含むことを特徴とする方法。
【請求項１７】
前記ビットマップを構成するビットの各々は、各ｅｒｔＰＳコネクションの再開の有無を表し、
前記ビットは、昇順又は降順にサービスフロー識別子（ＳＦＩＤ：Ｓｅｒｖｉｃｅ  Ｆｌｏｗ  ＩＤｅｎｔｉｆｉｅｒ）にマッピングされたことを特徴とする請求項１６に記載の方法。
【請求項１８】
前記ビットマップは、前記端末の保有したすべてのｅｒｔＰＳコネクションの再開の有無を表すことを特徴とする請求項１７に記載の方法。
【請求項１９】
前記ビットマップは、中止されたｅｒｔＰＳコネクションのみの再開の有無を表すことを特徴とする請求項１７に記載の方法。
【請求項２０】
無線通信システムにおける基地局装置であって、
再開されるｅｒｔＰＳコネクションの少なくとも１つを表すビットマップを含む拡張サブヘッダ（ｅｘｔｅｎｄｅｄ  ｓｕｂｈｅａｄｅｒ）を受信する受信部と、
前記拡張サブヘッダを介して識別された少なくとも１つのｅｒｔＰＳコネクションに対してアップリング資源を割り当てる制御部と、
を含み、
前記ビットマップを構成するビットの各々は、各ｅｒｔＰＳコネクションの再開の有無を表し、
前記ビットは、昇順又は降順にサービスフロー識別子（ＳＦＩＤ：Ｓｅｒｖｉｃｅ  Ｆｌｏｗ  ＩＤｅｎｔｉｆｉｅｒ）にマッピングされたことを特徴とする装置。
【請求項２１】
前記ビットマップは、前記端末の保有したすべてのｅｒｔＰＳコネクションの再開の有無を表すことを特徴とする請求項２０に記載の装置。
【請求項２２】
前記ビットマップは、中止されたｅｒｔＰＳコネクションのみの再開の有無を表すことを特徴とする請求項２０に記載の装置。
【請求項２３】
無線通信システムにおける端末装置であって、
中止された複数のｅｒｔＰＳコネクションのうち、少なくとも一つを再開しようとする場合、前記少なくとも一つのｅｒｔＰＳコネクションを表すビットマップを含む拡張サブヘッダを含むｅｒｔＰＳ  ＭＡＣ  ＰＤＵを送信する送信機と、
前記拡張サブヘッダを介して識別された少なくとも１つのｅｒｔＰＳコネクションに対するアップリンク資源の割り当てを受信する受信機と、
を備えることを特徴とする装置。
【請求項２４】
前記ビットマップを構成するビットの各々は、各ｅｒｔＰＳコネクションの再開の有無を表し、
前記ビットは、昇順又は降順にサービスフロー識別子にマッピングされたことを特徴とする請求項２３に記載の装置。
【請求項２５】
前記ビットマップは、前記端末の保有したすべてのｅｒｔＰＳコネクションの再開の有無を表すことを特徴とする請求項２３に記載の装置。
【請求項２６】
前記ビットマップは、中止されたｅｒｔＰＳコネクションのみの再開の有無を表すことを特徴とする請求項２３に記載の装置。
【発明の詳細な説明】
【技術分野】
【０００１】
本発明は、広帯域無線通信システムに関し、特に、広帯域無線通信システムにおける拡張リアルタイムポーリングサービス（ｅｒｔＰＳ：ｅｘｔｅｎｄｅｄ  ｒｅａｌ−ｔｉｍｅ  Ｐｏｌｌｉｎｇ  Ｓｅｒｖｉｃｅ）を再開（ｒｅｓｕｍｐｔｉｏｎ）要請するための装置及び方法に関する。
【背景技術】
【０００２】
無線通信システムにおいて使用可能な無線資源は、制約されている。したがって、制限された無線資源を効率的に使用するための適切なスケジューリング（ｓｃｈｅｄｕｌｉｎｇ）方案が求められる。理想的なスケジューリングの条件は、不必要に割り当てられた資源を速かに回収して必要なサービスのために再度割り当てること、無線資源を介して交換される情報の量を減らすこと、剰余資源を他の用途として使用できるようにすることである。
【０００３】
無線通信システムは、サービスの品質（ＱｏＳ：Ｑｕａｌｉｔｙ  ｏｆ  Ｓｅｒｖｉｃｅ）を保障するために、サービスの特性及び種類によってスケジューリング方式を定義する。例えば、スケジューリング方式には、自発的グラントサービス（Ｕｎｓｏｌｃｉｔｅｄ  Ｇｒａｎｔ  Ｓｅｒｖｉｃｅ、以下、「ＵＧＳ」とする）、リアルタイムポーリングサービス（ｒｅａｌ−ｔｉｍｅ  Ｐｏｌｌｉｎｇ  Ｓｅｒｖｉｃｅ、以下、「ｒｔＰＳ」とする）、拡張されたリアルタイムポーリングサービス（ｅｘｔｅｎｄｅｄ  ｒｅａｌ−ｔｉｍｅ  Ｐｏｌｌｉｎｇ  Ｓｅｒｖｉｃｅ、以下、「ｅｒｔＰＳ」とする）などがある。
【０００４】
ｅｒｔＰＳは、アップリンク（ｕｐｌｉｎｋ）資源割り当て方式の一つであり、以下のような特性を有する。ｅｒｔＰＳの適用を受けるコネクションは、端末の要請により資源を持続的に割り当てられ、要求される資源量が変化しない限り、端末は、別途のポーリング（ｐｏｌｌｉｎｇ）無しで割り当てられた資源を介してトラフィック（ｔｒａｆｆｉｃ）を送信する。換言すれば、端末は、ｅｒｔＰＳコネクションに対して別途のポーリングなしに持続的に同じ資源を割り当てられる。したがって、データレート（ｒａｔｅ）の減少又は増加が必要な場合、端末は、必要な資源の減少又は増加を知らせるための制御情報を基地局に送信する。
【０００５】
必要な資源の増加又は減少と共に、端末は、アップリンク資源割り当ての一時中止を要求することができる。例えば、ＶｏＩＰ（Ｖｏｉｃｅ  ｏｖｅｒ  Ｉｎｔｅｒｎｅｔ  Ｐｒｏｔｏｃｏｌ）の場合、オン区間（ｔａｌｋ−ｓｐｕｒｔ  ｐｅｒｉｄｅ）とオフ区間（ｓｉｌｅｎｃｅ  ｐｅｒｉｏｄ）が存在し、オフ区間の間には送信データが存在しない。このように、送信データが存在しない区間で、端末は、ｅｒｔＰＳコネクションに対する資源割り当ての一時中止を要求する。
【０００６】
資源割り当てが一時中止されたｅｒｔＰＳコネクションを再開するための方法は、以下のとおりである。第１の方法では、端末は、必要な資源量の情報を含む帯域幅要求ヘッダ（Ｂａｎｄｗｉｄｔｈ  Ｒｅｑｕｅｓｔ  Ｈｅａｄｅｒ）を送信する。第２の方法では、端末は、ＣＱＩ（Ｃｈａｎｎｅｌ  Ｑｕａｌｉｔｙ  Ｉｎｄｉｃａｔｏｒ）チャネルを介して、ｅｒｔＰＳコネクションの再開要請を表すＣＱＩＣＨコードワード（ｃｏｄｅｗｏｒｄ）を送信する。これにより、ｅｒｔＰＳコネクションの再開要請のためのＣＱＩＣＨコードワードを受信した基地局は、端末のｅｒｔＰＳコネクションの「Ｍａｘ  Ｓｕｓｔａｉｎａｂｌｅ  Ｔｒａｆｆｉｃ  Ｒａｔｅ」によってアップリンク資源を割り当てる。一般に、上述した第２の方法を使用する場合、第１の方法を使用する場合に比べて、発生するオーバーヘッド（ｏｖｅｒｈｅａｄ）が小さいため、第２の方法が主に使用される。ＣＱＩチャネルは、端末のチャネル情報フィードバック（ｆｅｅｄｂａｃｋ）を目的とするチャネルであるが、ｅｒｔＰＳコネクションの再開要請などのような特殊な目的のためのＣＱＩＣＨコードワードを送信するために使用されることもある。このとき、特殊な目的を有するＣＱＩＣＨコードワードは、システムの設定によって決定される。
【０００７】
万一、ｅｒｔＰＳコネクションの再開要請のためのＣＱＩＣＨコードワードが１個のみである場合、複数のｅｒｔＰＳコネクションを有する端末は、ｅｒｔＰＳコネクションの再開要請の際、ＣＱＩＣＨコードワードを利用した方法を使用することが困難である。それは、ｅｒｔＰＳコネクションの再開要請のためのＣＱＩＣＨコードワードを受信した基地局が、複数のｅｒｔＰＳコネクションのうちのどのコネクションに対する再開要請であるかを確認することができないためである。そのため、端末が複数のｅｒｔＰＳコネクションを有する場合、ｅｒｔＰＳコネクションの再開要請の際、複数のコネクションを区分するための代案が必要である。
【発明の概要】
【発明が解決しようとする課題】
【０００８】
そこで、本発明の目的は、広帯域無線通信システムにおいてＣＱＩＣＨ（Ｃｈａｎｎｅｌ  Ｑｕａｌｉｔｙ  Ｉｎｄｉｃａｔｏｒ  ＣＨａｎｎｅｌ）コードワードを利用して、再開要請されるｅｒｔＰＳ（ｅｘｔｅｎｄｅｄ  ｒｅａｌ−ｔｉｍｅ  Ｐｏｌｌｉｎｇ  Ｓｅｒｖｉｃｅ）コネクションを識別するための装置及び方法を提供することにある。
【０００９】
本発明の他の目的は、広帯域無線通信システムにおいて複数のｅｒｔＰＳコネクションの再開を同時に要請するための装置及び方法を提供することにある。
【００１０】
本発明のさらに他の目的は、広帯域無線通信システムにおいてビットマップを利用して再開されるｅｒｔＰＳコネクションの目録を伝達するための装置及び方法を提供することにある。
【課題を解決するための手段】
【００１１】
上述した目的を達成するための本発明の第１の見地によれば、無線通信システムにおける基地局の動作方法は、端末からのｅｒｔＰＳ（ｅｘｔｅｎｄｅｄ  ｒｅａｌ−ｔｉｍｅ  Ｐｏｌｌｉｎｇ  Ｓｅｒｖｉｃｅ）コネクションの再開を要請するためのＣＱＩＣＨ（Ｃｈａｎｎｅｌ  Ｑｕａｌｉｔｙ  Ｉｎｄｉｃａｔｏｒ  ＣＨａｎｎｅｌ）コードワードを受信する過程と、前記端末の保有した複数のｅｒｔＰＳコネクションのうち、最大保障送信率の最大値に対応するアップリンク資源を前記端末に割り当てる過程と、を含むことを特徴とする。
【００１２】
上述した目的を達成するための本発明の第２の見地によれば、無線通信システムにおける端末の動作方法は、中止された複数のｅｒｔＰＳコネクションのうち、少なくとも一つを再開しようとする場合、待機中である（ｐｅｎｄｉｎｇ）ｅｒｔＰＳデータの存在を知らせるためのＣＱＩＣＨ（Ｃｈａｎｎｅｌ  Ｑｕａｌｉｔｙ  Ｉｎｄｉｃａｔｏｒ  ＣＨａｎｎｅｌ）コードワードを送信する過程と、前記少なくとも一つのｅｒｔＰＳコネクションの少なくとも一つのｅｒｔＰＳ  ＭＡＣ  ＰＤＵ（Ｍｅｄｉａ  Ａｃｃｅｓｓ  Ｃｏｎｔｒｏｌ  Ｐｒｏｔｏｃｏｌ  Ｄａｔｅ  Ｕｎｉｔ）を生成する過程と、前記ＣＱＩＣＨコードワード送信によりアップリンク資源が割り当てられると、前記少なくとも一つのｅｒｔＰＳ  ＭＡＣ  ＰＤＵを送信する過程と、を含み、前記アップリンク資源は、前記端末の保有した複数のｅｒｔＰＳコネクションのうち、最大保障送信率の最大値に対応することを特徴とする。
【００１３】
上述した目的を達成するための本発明の第３の見地によれば、無線通信システムにおける基地局装置は、端末からのｅｒｔＰＳコネクションの再開を要請するためのＣＱＩＣＨコードワードを受信する受信部と、前記端末が保有した複数のｅｒｔＰＳコネクションのうち、最大保障送信率の最大値に対応するアップリンク資源を前記端末に割り当てる制御部と、を備えることを特徴とする。
【００１４】
上述した目的を達成するための本発明の第４の見地によれば、無線通信システムにおける端末装置は、中止された複数のｅｒｔＰＳコネクションのうち、少なくとも一つを再開しようとする場合、待機中である（ｐｅｎｄｉｎｇ）ｅｒｔＰＳデータの存在を知らせるためのＣＱＩＣＨコードワードを送信する送信機と、前記少なくとも一つのｅｒｔＰＳコネクションの少なくとも一つのｅｒｔＰＳ  ＭＡＣ  ＰＤＵを提供するデータバッファと、前記ＣＱＩＣＨコードワード送信によりアップリンク資源が割り当てられると、前記少なくとも一つのｅｒｔＰＳ  ＭＡＣ  ＰＤＵを送信するように制御する制御部と、を備え、前記アップリンク資源は、前記端末の保有した複数のｅｒｔＰＳコネクションのうち、最大保障送信率の最大値に対応することを特徴とする。
【図面の簡単な説明】
【００１５】
【図１】本発明の第１の実施の形態による広帯域無線通信システムにおける端末及び基地局のｅｒｔＰＳコネクションの再開要請手順を示す図である。
【図２】本発明の第２の実施の形態による広帯域無線通信システムにおける端末及び基地局のｅｒｔＰＳコネクションの再開要請手順を示す図である。
【図３】本発明の第３の実施の形態による広帯域無線通信システムにおける端末及び基地局のｅｒｔＰＳコネクションの再開要請手順を示す図である。
【図４】本発明の第４の実施の形態による広帯域無線通信システムにおける端末及び基地局のｅｒｔＰＳコネクションの再開要請手順を示す図である。
【図５】本発明の第５の実施の形態による広帯域無線通信システムにおける端末及び基地局のｅｒｔＰＳコネクションの再開要請手順を示す図である。
【図６】本発明の実施の形態による広帯域無線通信システムにおける端末のブロック構成を示す図である。
【図７】本発明の実施の形態による広帯域無線通信システムにおける基地局のブロック構成を示す図である。
【発明を実施するための形態】
【００１６】
以下、本発明は、広帯域無線通信システムにおけるＣＱＩＣＨコードワードを利用したｅｒｔＰＳコネクション（ｓｅｒｖｉｃｅ  ｆｌｏｗ）の再開要請技術について説明する。以下、本発明は、周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、「ＯＦＤＭ」とする）／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以下、「ＯＦＤＭＡ」とする）方式の無線通信システムを例に挙げて説明し、他の方式の無線通信システムにも同様に適用されることができる。
【００１７】
図１は、本発明の第１の実施の形態による広帯域無線通信システムにおける端末１１０及び基地局１２０のｅｒｔＰＳコネクションの再開要請手順を示している。図１は、ｅｒｔＰＳコネクションの再開要請のためのＣＱＩＣＨコードワードが複数存在する場合の実施の形態を示している。
【００１８】
図１に示すように、端末１１０及び基地局１２０は、一時中止された複数のｅｒｔＰＳコネクションを有した状態である（ステップ１０１）。
【００１９】
その後、端末１１０は、中止された複数のｅｒｔＰＳコネクションのうち、少なくとも一つのコネクションに対する再開が必要であるか否かを確認する（ステップ１０３）。例えば、ＶｏＩＰ（Ｖｏｉｃｅ  ｏｖｅｒ  Ｉｎｔｅｒｎｅｔ  Ｐｒｏｔｏｃｏｌ）サービスを利用する場合、端末１１０は、オフ区間（ｓｉｌｅｎｃｅ  ｐｅｒｉｏｄ）からオン区間（ｔａｌｋ−ｓｐｕｒｔ  ｐｅｒｉｄｅ）に遷移されているか否かを確認する。
【００２０】
少なくとも一つのｅｒｔＰＳコネクションの再開が必要であることを認知した端末１１０は、再開される少なくとも一つのコネクションに対応するＣＱＩＣＨコードワードを確認する（ステップ１０５）。例えば、ＣＱＩＣＨコードワードは、サービスフロー識別子（Ｓｅｒｖｉｃｅ  Ｆｌｏｗ  ＩＤｅｎｔｉｆｉｅｒ、以下、「ＳＦＩＤ」とする）とマッピングされるか、又は接続識別子（Ｃｏｎｎｅｃｔｉｏｎ  ＩＤｅｎｔｉｆｉｅｒ、以下、「ＣＩＤ」とする）とマッピングされる。例えば、ＣＱＩＣＨコードワードとＳＦＩＤとが昇順（ａｓｃｅｎｄｉｎｇ）にマッピングされた場合、３個のｅｒｔＰＳコネクションのＳＦＩＤが１、３、７であると、ＳＦＩＤ  １は、第１番目のＣＱＩＣＨコードワードと、ＳＦＩＤ  ３は、第２番目のＣＱＩＣＨコードワードと、ＳＦＩＤ  ７は、第３番目のＣＱＩＣＨコードワードとマッピングされる。これとは異なり、マッピング順序に対する本発明の他の実施の形態によって、降順（ｄｅｃｅｎｄｉｎｇ）マッピングも可能である。
【００２１】
上述したマッピング関係によって、少なくとも一つのＣＱＩＣＨコードワードを確認した端末１１０は、確認された少なくとも一つのＣＱＩＣＨコードワードをＣＱＩチャネルを介して基地局１２０に送信する（ステップ１０７）。このとき、複数のＣＱＩＣＨコードワードが送信される場合、端末１１０は、複数のＣＱＩＣＨコードワードを順次送信する。又は複数のＣＱＩＣＨコードワードの送信に対する本発明の他の実施の形態によって、端末１１０は、複数のＣＱＩＣＨコードワードを同時に送信する。
【００２２】
少なくとも一つのＣＱＩＣＨコードワードを受信した基地局１２０は、受信された少なくとも一つのＣＱＩＣＨコードワードに対応するｅｒｔＰＳコネクションを確認する（ステップ１０９）。例えば、基地局１２０は、ｅｒｔＰＳコネクション及びＣＱＩＣＨコードワード間のマッピング関係を格納するテーブルを介して、受信された少なくとも一つのＣＱＩＣＨコードワードに対応するｅｒｔＰＳコネクションを確認する。
【００２３】
少なくとも一つのＣＱＩＣＨコードワードに対応するｅｒｔＰＳコネクションを確認した基地局１２０は、確認された少なくとも一つのｅｒｔＰＳコネクションに対して持続的にアップリンク資源を割り当てる（ステップ１１１）。すなわち、基地局１２０は、確認された少なくとも一つのｅｒｔＰＳコネクションに対してスケジューリングを再開する。ここで、少なくとも一つのｅｒｔＰＳコネクションに割り当てられるアップリンク資源量は、各ｅｒｔＰＳコネクションの最大保障送信率（Ｍａｘ．Ｓｕｓｔａｉｎａｂｌｅ  Ｔｒａｆｆｉｃ  Ｒａｔｅ）に従う。
【００２４】
その後、基地局１２０は、資源割り当て情報を含む資源割り当てメッセージを端末１１０に送信する（ステップ１１３）。
【００２５】
資源割り当てメッセージを受信した端末１１０は、自身に割り当てられたアップリンク資源を確認した後、確認されたアップリンク資源を介して再開された少なくとも一つのｅｒｔＰＳコネクションのアップリンクトラフィックを送信する（ステップ１１５）。
【００２６】
図２は、本発明の第２の実施の形態による広帯域無線通信システムにおける端末２１０及び基地局２２０のｅｒｔＰＳコネクションの再開要請手順を示している。
【００２７】
図２に示すように、端末２１０及び基地局２２０は、一時中止された複数のｅｒｔＰＳコネクションを有した状態である（ステップ２０１）。
【００２８】
その後、端末２１０は、中止された複数のｅｒｔＰＳコネクションのうち、少なくとも一つに対して再開が必要であるか否かを確認する（ステップ２０３）。例えば、ＶｏＩＰサービスのためのｅｒｔＰＳコネクションの場合、端末２１０は、オフ区間からオン区間へ遷移されているか否かを確認する。
【００２９】
少なくとも一つのｅｒｔＰＳコネクションの再開が必要であることを認知した端末２１０は、ｅｒｔＰＳコネクションの再開要請のための、すなわち、待機中である（ｐｅｎｄｉｎｇ）ｅｒｔＰＳデータの存在を知らせるためのＣＱＩＣＨコードワードを基地局２２０に送信する（ステップ２０５）。ｅｒｔＰＳコネクションの再開要請のためのＣＱＩＣＨコードワードは、システムの設定によって決定され、ＣＱＩチャネルを介して送信される。
【００３０】
ＣＱＩＣＨコードワードを受信した基地局２２０は、端末２１０のすべてのｅｒｔＰＳコネクションの各々の最大保障送信率（Ｍａｘ．Ｓｕｓｔａｉｎａｂｌｅ  Ｔｒａｆｆｉｃ  Ｒａｔｅ）のうち、最大値に応じて端末２１０にアップリンク資源を割り当てる（ステップ２０７）。ＣＱＩＣＨコードワードは、どのｅｒｔＰＳコネクションに対する再開要請であるかを表さない。したがって、端末２１０がどのｅｒｔＰＳコネクションのＭＡＣ（Ｍｅｄｉａ  Ａｃｃｅｓｓ  Ｃｏｎｔｒｏｌ）ＰＤＵ（Ｐｒｏｔｏｃｏｌ  Ｄａｔａ  Ｕｎｉｔ）でも送信できるように、基地局２２０は、最大値に応じてアップリンク資源を割り当てる。但し、ＣＱＩＣＨコードワードによる資源割り当てに対する本発明の他の実施の形態によって、基地局２２０は、端末２１０のすべてのｅｒｔＰＳコネクションのうち、一時中止されたｅｒｔＰＳコネクションの各々の最大保障送信率のうちの最大値に応じて端末２１０にアップリンク資源を割り当てることができる。
【００３１】
その後、基地局２２０は、資源割り当て情報を含む資源割り当てメッセージを端末２１０に送信する（ステップ２０９）。
【００３２】
資源割り当てメッセージを受信した端末２１０は、自身に割り当てられたアップリンク資源を確認した後、確認されたアップリンク資源を介して再開される少なくとも一つのｅｒｔＰＳコネクションのＭＡＣ  ＰＤＵを基地局２２０に送信する（ステップ２１１）。すなわち、端末２１０は、一つのｅｒｔＰＳコネクションのＭＡＣ  ＰＤＵのみを送信でき、割り当てられたアップリンク資源の量が許容する範囲内で複数のｅｒｔＰＳコネクションのＭＡＣ  ＰＤＵを送信することもできる。
【００３３】
少なくとも一つのｅｒｔＰＳコネクションのＭＡＣ  ＰＤＵを受信した基地局２２０は、受信されたＭＡＣ  ＰＤＵに対応するｅｒｔＰＳコネクションを確認する（ステップ２１３）。言い換えれば、基地局２２０は、受信されたＭＡＣ  ＰＤＵに含まれたＣＩＤを確認することによって、ＭＡＣ  ＰＤＵに対応するｅｒｔＰＳコネクションを確認する。但し、確認されたＣＩＤがｅｒｔＰＳコネクションのＣＩＤではない場合、基地局２２０は、ｅｒｔＰＳコネクションの再開要請が取り消されたと認知する。
【００３４】
受信されたＭＡＣ  ＰＤＵに対応するｅｒｔＰＳコネクションを確認した後、基地局２２０は、確認された少なくとも一つのｅｒｔＰＳコネクションに対して持続的にアップリンク資源を割り当てる（ステップ２１５）。すなわち、基地局２２０は、確認された少なくとも一つのｅｒｔＰＳコネクションに対してスケジューリングを再開する。ここで、少なくとも一つのｅｒｔＰＳコネクションに割り当てられるアップリンク資源量は、各ｅｒｔＰＳコネクションの最大保障送信率に従う。
【００３５】
その後、基地局２２０は、資源割り当て情報を含む資源割り当てメッセージを端末２１０に送信する（ステップ２１７）。
【００３６】
資源割り当てメッセージを受信した端末２１０は、自身に割り当てられたアップリンク資源を確認した後、確認されたアップリンク資源を介して再開されたｅｒｔＰＳコネクションのアップリンクトラフィックを送信する（ステップ２１９）。
【００３７】
図３は、本発明の第３の実施の形態による広帯域無線通信システムにおける端末３１０及び基地局３２０のｅｒｔＰＳコネクションの再開要請手順を示している。
【００３８】
図３に示すように、端末３１０及び基地局３２０は、一時中止された複数のｅｒｔＰＳコネクションを有した状態である（ステップ３０１）。
【００３９】
その後、端末３１０は、複数のｅｒｔＰＳコネクションのうち、少なくとも一つのｅｒｔＰＳコネクションに対する再開が必要であるか否かを確認する（ステップ３０３）。例えば、ＶｏＩＰサービスのためのｅｒｔＰＳコネクションの場合、端末３１０は、オフ区間からオン区間へ遷移されているか否かを確認する。
【００４０】
少なくとも一つのｅｒｔＰＳコネクションの再開が必要であることを認知した端末３１０は、ｅｒｔＰＳコネクションの再開要請のための、すなわち、待機中であるｅｒｔＰＳデータの存在を知らせるためのＣＱＩＣＨコードワードを基地局３２０に送信する（ステップ３０５）。ＣＱＩＣＨコードワードは、システムの設定によって決定され、ＣＱＩチャネルを介して送信される。
【００４１】
ＣＱＩＣＨコードワードを受信した基地局３２０は、端末３１０のすべてのｅｒｔＰＳコネクションの各々の最大保障送信率のうち、最大値に応じて端末３１０にアップリンク資源を割り当てる（ステップ３０７）。ＣＱＩＣＨコードワードは、どのｅｒｔＰＳコネクションに対する再開要請であるかを表す情報を含まない。したがって、端末３１０がどのｅｒｔＰＳコネクションのＭＡＣ  ＰＤＵでも送信できるように、基地局３２０は、最大値に応じてアップリンク資源を割り当てる。但し、ＣＱＩＣＨコードワードによる資源割り当てに対する本発明の他の実施の形態によって、基地局３２０は、端末３２０のすべてのｅｒｔＰＳコネクションのうち、一時中止されたｅｒｔＰＳコネクションの各々の最大保障送信率のうち、最大値に応じて端末３１０にアップリンク資源を割り当てることができる。
【００４２】
アップリンク資源を割り当てた基地局３２０は、資源割り当て情報を含む資源割り当てメッセージを端末３１０に送信する（ステップ３０９）。
【００４３】
その後、端末３１０は、再開しようとする少なくとも一つのｅｒｔＰＳコネクションの各々に対するＢＲＨ（Ｂａｎｄｗｉｄｔｈ  Ｒｅｑｕｅｓｔ  Ｈｅａｄｅｒ）を生成する（ステップ３１１）。ここで、ＢＲＨは、ヘッダタイプ、要請帯域量、ＣＩＤなどを含んで構成される。すなわち、端末３１０は、再開される少なくとも一つのｅｒｔＰＳコネクションの各々のＣＩＤを含む少なくとも一つのＢＲＨを生成する。
【００４４】
少なくとも一つのＢＲＨを生成した後、端末３１０は、少なくとも一つのＢＲＨを基地局３２０に送信する（ステップ３１３）。
【００４５】
少なくとも一つのＢＲＨを受信した基地局３２０は、受信された少なくとも一つのＢＲＨに対応するｅｒｔＰＳコネクションを確認する（ステップ３１５）。言い換えれば、基地局３２０は、受信された少なくとも一つのＢＲＨの各々に含まれたＣＩＤを確認することによって、少なくとも一つのＢＲＨに対応する少なくとも一つのｅｒｔＰＳコネクションを確認する。但し、確認されたＣＩＤがｅｒｔＰＳコネクションのＣＩＤではない場合、基地局３２０は、ｅｒｔＰＳコネクションの再開要請が取り消されたと認知する。
【００４６】
受信された少なくとも一つのＢＲＨに対応するｅｒｔＰＳコネクションを確認した後、基地局３２０は、確認された少なくとも一つのｅｒｔＰＳコネクションに対して持続的にアップリンク資源を割り当てる（ステップ３１７）。すなわち、基地局３２０は、確認された少なくとも一つのｅｒｔＰＳコネクションに対してスケジューリングを再開する。ここで、少なくとも一つのｅｒｔＰＳコネクションに割り当てられるアップリンク資源量は、各ｅｒｔＰＳコネクションの最大保障送信率に従う。
【００４７】
その後、基地局３２０は、資源割り当て情報を含む資源割り当てメッセージを端末３１０に送信する（ステップ３１９）。
【００４８】
資源割り当てメッセージを受信した端末３１０は、自身に割り当てられたアップリンク資源を確認した後、確認されたアップリンク資源を介して再開された少なくとも一つのｅｒｔＰＳコネクションのアップリンクトラフィックを送信する（ステップ３２１）。
【００４９】
図４は、本発明の第４の実施の形態による広帯域無線通信システムにおける端末４１０及び基地局４２０のｅｒｔＰＳコネクションの再開要請手順を示している。
【００５０】
図４に示すように、端末４１０及び基地局４２０は、一時中止された複数のｅｒｔＰＳコネクションを有した状態である（ステップ４０１）。
【００５１】
その後、端末４１０は、中止された複数のｅｒｔＰＳコネクションのうち、少なくとも一つのコネクションに対する再開が必要であるか否かを確認する（ステップ４０３）。例えば、ＶｏＩＰサービスのためのｅｒｔＰＳコネクションの場合、端末４１０は、オフ区間からオン区間へ遷移されているか否かを確認する。
【００５２】
少なくとも一つのｅｒｔＰＳコネクションの再開が必要であることを認知した端末４１０は、ｅｒｔＰＳコネクションの再開要請のための、すなわち、待機中であるｅｒｔＰＳデータの存在を知らせるためのＣＱＩＣＨコードワードを基地局４２０に送信する（ステップ４０５）。ＣＱＩＣＨコードワードは、システムの設定によって決定され、ＣＱＩチャネルを介して送信される。
【００５３】
ＣＱＩＣＨコードワードを受信した基地局４２０は、端末４１０のすべてのｅｒｔＰＳコネクションの各々の最大保障送信率のうち、最大値に応じて端末４１０にアップリンク資源を割り当てる（ステップ４０７）。ＣＱＩＣＨコードワードは、どのｅｒｔＰＳコネクションに対する再開要請であるかを表す情報を含まない。したがって、端末４１０がどのｅｒｔＰＳコネクションのＭＡＣ  ＰＤＵでも送信できるように、基地局４２０は、最大値に応じてアップリンク資源を割り当てる。但し、ＣＱＩＣＨコードワードによる資源割り当てに対する本発明の他の実施の形態によって、基地局４２０は、端末４１０のすべてのｅｒｔＰＳコネクションのうち、一時中止されるｅｒｔＰＳコネクションの各々の最大保障送信率（Ｍａｘ．Ｓｕｓｔａｉｎａｂｌｅ  Ｔｒａｆｆｉｃ  Ｒａｔｅ）のうちの最大値に応じて端末４１０にアップリンク資源を割り当てることができる。
【００５４】
アップリンク資源を割り当てた基地局４２０は、資源割り当て情報を含む資源割り当てメッセージを端末４１０に送信する（ステップ４０９）。
【００５５】
その後、端末４１０は、再開される少なくとも一つのｅｒｔＰＳコネクションの目録を表すビットマップを生成する（ステップ４１１）。例えば、端末４１０の最大保有可能ｅｒｔＰＳコネクションの個数が８の場合、ビットマップは、下記の表１のように定義される。
【００５６】
【表１】
0005430584.tif 000002
万一、端末４１０の最大保有可能ｅｒｔＰＳコネクションの個数がＮである場合、ビットマップの大きさは、少なくともＮビットとなる。
【００５７】
ビットマップの各ビットは、端末４１０の保有したｅｒｔＰＳコネクションのＳＦＩＤと一対一にマッピングされる。例えば、ビットマップの各ビットとＳＦＩＤとが昇順にマッピングされた場合、３個のｅｒｔＰＳコネクションのＳＦＩＤが１、３、７であると、ＳＦＩＤ  １は、ビットマップのＭＳＢ（Ｍｏｓｔ  Ｓｉｇｎｉｆｉｃａｎｔ  ｂｉｔ）と、ＳＦＩＤ  ３は、ビットマップの第２番目のビットと、ＳＦＩＤ  ７は、ビットマップの第３番目のビットとマッピングされる。又は、ビットマップの各ビットは、端末４１０が保有したｅｒｔＰＳコネクションのＣＩＤと一対一にマッピングされる。例えば、３個のｅｒｔＰＳコネクションのＣＩＤが１００、２００、３００であると、ＣＩＤ  １００は、ビットマップのＭＳＢと、ＣＩＤ  ２００は、ビットマップの第２番目のビットと、ＣＩＤ  ３００は、ビットマップの第３番目のビットとマッピングされる。しかしながら、マッピング順序に対する本発明の他の実施の形態によって、降順のマッピングも可能である。換言すれば、ビットマップを構成するビットの各々は、各ｅｒｔＰＳコネクションの再開の有無を表し、ビットは、ＳＦＩＤの昇順又は降順に整列される。
【００５８】
ビットマップを生成した端末４１０は、ビットマップを含むＭＡＣ  ＰＤＵを基地局４２０に送信する（ステップ４１３）。ここで、ビットマップは、拡張サブヘッダ（ｅｘｔｅｎｄｅｄ  ｓｕｂｈｅａｄｅｒ）に含まれ、拡張サブヘッダは、ＭＡＣ  ＰＤＵに含まれる。このとき、ＭＡＣ  ＰＤＵのＭＡＣヘッダは、再開される少なくとも一つのｅｒｔＰＳコネクションのうちの何れか一つのＣＩＤを含む。
【００５９】
ビットマップを含むＭＡＣ  ＰＤＵを受信した基地局４２０は、受信されたＭＡＣ  ＰＤＵに対応するｅｒｔＰＳコネクションを確認する（ステップ４１５）。言い換えれば、基地局４２０は、受信されたＭＡＣ  ＰＤＵのＭＡＣヘッダに含まれたＣＩＤを確認することによって、ＭＡＣ  ＰＤＵに対応するｅｒｔＰＳコネクションを確認する。
【００６０】
次に、基地局４２０は、ＭＡＣ  ＰＤＵに含まれたビットマップを解析することによって、再開される少なくとも一つのｅｒｔＰＳコネクションを確認する（ステップ４１７）。ここで、ビットマップは、ＭＡＣ  ＰＤＵに含まれた拡張サブヘッダ内に存在する。すなわち、基地局４２０は、ＭＡＣ  ＰＤＵに拡張サブヘッダが存在することを認識し、拡張サブヘッダ内のビットマップを介して、再開される少なくとも一つのｅｒｔＰＳコネクションを確認する。
【００６１】
ＭＡＣヘッダ及びビットマップを介して再開される少なくとも一つのｅｒｔＰＳコネクションを確認した後、基地局４２０は、確認された少なくとも一つのｅｒｔＰＳコネクションに対して持続的にアップリンク資源を割り当てる（ステップ４１９）。すなわち、基地局４２０は、確認された少なくとも一つのｅｒｔＰＳコネクションに対してスケジューリングを再開する。ここで、少なくとも一つのｅｒｔＰＳコネクションに割り当てられるアップリンク資源量は、各ｅｒｔＰＳコネクションの最大保障送信率に従う。
【００６２】
その後、基地局４２０は、資源割り当て情報を含む資源割り当てメッセージを端末４１０に送信する（ステップ４２１）。
【００６３】
資源割り当てメッセージを受信した端末４１０は、自身に割り当てられたアップリンク資源を確認した後、確認されたアップリンク資源を介して再開された少なくとも一つのｅｒｔＰＳコネクションのアップリンクトラフィックを送信する（ステップ４２３）。
【００６４】
図４を参照して説明した実施の形態は、ビットマップを利用した本発明の第４の実施の形態によるｅｒｔＰＳコネクションの再開要請の過程である。万一、再開されるｅｒｔＰＳコネクションが１個である場合、端末４１０は、ビットマップを生成せずに、本発明の第２の実施の形態によって動作できる。すなわち、端末４１０は、再開されるｅｒｔＰＳコネクションの個数に応じて本発明の第２の実施の形態又は本発明の第４の実施の形態を選択的に行うことができる。この場合、端末４１０により送信されるＭＡＣ  ＰＤＵは、ビットマップを含んでいないときもあるので、基地局４２０は、ビットマップを含んでいるか否かを確認しなければならない。
【００６５】
図５は、本発明の第５の実施の形態による広帯域無線通信システムにおける端末及び基地局のｅｒｔＰＳコネクションの再開要請手順を示している。
【００６６】
図５に示すように、端末５１０及び基地局５２０は、一時中止された複数のｅｒｔＰＳコネクションを有した状態である（ステップ５０１）。
【００６７】
その後、端末５１０は、中止された複数のｅｒｔＰＳコネクションのうち、少なくとも一つのコネクションに対する再開が必要であるか否かを確認する（ステップ５０３）。例えば、ＶｏＩＰサービスのためのｅｒｔＰＳコネクションの場合、端末５１０は、オフ区間からオン区間へ遷移されているか否かを確認する。
【００６８】
少なくとも一つのｅｒｔＰＳコネクションの再開が必要であることを認知した端末５１０は、ｅｒｔＰＳコネクションの再開要請のための、すなわち、待機中である（ｐｅｎｄｉｎｇ）ｅｒｔＰＳデータの存在を知らせるためのＣＱＩＣＨコードワードを基地局５２０に送信する（ステップ５０５）。ＣＱＩＣＨコードワードは、システムの設定によって決定され、ＣＱＩチャネルを介して送信される。
【００６９】
ＣＱＩＣＨコードワードを受信した基地局５２０は、端末５２０のすべてのｅｒｔＰＳコネクションの各々の最大保障送信率のうちの最大値に応じて端末５１０にアップリンク資源を割り当てる（ステップ５０７）。ＣＱＩＣＨコードワードは、どのｅｒｔＰＳコネクションに対する再開要請であるかを表す情報を含まない。したがって、端末５１０がどのｅｒｔＰＳコネクションのＭＡＣ  ＰＤＵでも送信できるように、基地局５２０は、最大値に応じてアップリンク資源を割り当てる。但し、ＣＱＩＣＨコードワードによる資源割り当てに対する本発明の他の実施の形態によって、基地局５２０は、端末５２０のすべてのｅｒｔＰＳコネクションのうち、一時中止されるｅｒｔＰＳコネクションの各々の最大保障送信率のうち、最大値に応じて端末５１０にアップリンク資源を割り当てることができる。
【００７０】
アップリンク資源を割り当てた基地局５２０は、資源割り当て情報を含む資源割り当てメッセージを端末５１０に送信する（ステップ５０９）。
【００７１】
その後、端末５１０は、再開される少なくとも一つのｅｒｔＰＳコネクションの目録を表すビットマップを生成する（ステップ５１１）。万一、端末５１０の最大保有可能ｅｒｔＰＳコネクションの個数がＮである場合、ビットマップの大きさは、少なくともＮビットとなる。
【００７２】
ビットマップの各ビットは、端末５１０の保有したｅｒｔＰＳコネクションのＳＦＩＤと一対一にマッピングされる。例えば、ビットマップの各ビットとＳＦＩＤとが昇順にマッピングされた場合、３個のｅｒｔＰＳコネクションのＳＦＩＤが１、３、７であれば、ＳＦＩＤ  １は、ビットマップのＭＳＢ（Ｍｏｓｔ  Ｓｉｇｎｉｆｉｃａｎｔ  ｂｉｔ）と、ＳＦＩＤ  ３は、ビットマップの第２番目のビットと、ＳＦＩＤ  ７は、ビットマップの第３番目のビットとマッピングされる。又は、ビットマップの各ビットは、端末４１０の保有したｅｒｔＰＳコネクションのＣＩＤと一対一にマッピングされる。例えば、３個のｅｒｔＰＳコネクションのＣＩＤが１００、２００、３００であると、ＣＩＤ  １００は、ビットマップのＭＳＢと、ＣＩＤ  ２００は、ビットマップの第２番目のビットと、ＣＩＤ  ３００は、ビットマップの第３番目のビットとマッピングされる。しかしながら、マッピング順序に対する本発明の他の実施の形態によって、降順マッピングも可能である。換言すれば、ビットマップを構成するビットの各々は、各ｅｒｔＰＳコネクションの再開の有無を表し、ビットは、ＳＦＩＤの昇順又は降順に整列される。
【００７３】
ビットマップを生成した端末５１０は、ビットマップを含むＢＲＨを基地局５２０に送信する（ステップ５１３）。ここで、ＢＲＨの構造は、下記の表２のとおりである。
【００７４】
【表２】
0005430584.tif 000003
表２のようなＢＲＨにおいて、ビットマップは、「Ｈｅａｄｅｒ  Ｃｏｎｔｅｎｔ」フィールドに含まれる。
【００７５】
ビットマップを含むＢＲＨを受信した基地局５２０は、ビットマップを解析することによって、再開される少なくとも一つのｅｒｔＰＳコネクションを確認する（ステップ５１５）。
【００７６】
ＭＡＣヘッダ及びビットマップを介して再開される少なくとも一つのｅｒｔＰＳコネクションを確認した後、基地局５２０は、確認された少なくとも一つのｅｒｔＰＳコネクションに対して持続的にアップリンク資源を割り当てる（ステップ５１７）。すなわち、基地局５２０は、確認された少なくとも一つのｅｒｔＰＳコネクションに対してスケジューリングを再開する。ここで、少なくとも一つのｅｒｔＰＳコネクションに割り当てられるアップリンク資源量は、各ｅｒｔＰＳコネクションの最大保障送信率に従う。
【００７７】
その後、基地局５２０は、資源割り当て情報を含む資源割り当てメッセージを端末５１０に送信する（ステップ５１９）。
【００７８】
資源割り当てメッセージを受信した端末５１０は、自身に割り当てられたアップリンク資源を確認した後、確認されたアップリンク資源を介して再開された少なくとも一つのｅｒｔＰＳコネクションのアップリンクトラフィックを送信する（ステップ５２１）。
【００７９】
図６は、本発明の実施の形態による広帯域無線通信システムにおける端末の構成を示している。
【００８０】
図６に示すように、端末は、制御部６０２、メッセージ生成器６０４、ＣＱＩチャネル生成器６０６、データバッファ６０８、メッセージ解析器６１０、符号器６１２、シンボル変調器６１４、副搬送波マッパー６１６、ＯＦＤＭ変調器６１８、ＲＦ（Ｒａｄｉｏ  Ｆｒｅｑｕｅｎｃｙ）送信機６２０、ＲＦ受信機６２２、ＯＦＤＭ復調器６２４、副搬送波デマッパー６２６、シンボル復調器６２８、および復号器６３０を備える。
【００８１】
制御部６０２は、端末の全般的な動作を制御する。メッセージ生成器６０４は、制御部６０２の制御下でシグナルリングメッセージ（例：ＭＡＣ  ｍａｎａｇｅｍｅｎｔ  ｍｅｓｓａｇｅ）を生成して、符号器６１２に提供する。データバッファ６０８は、送信パケット（例：ＭＡＣ  ＰＤＵ）をコネクション別にバッファリングし、制御部６０２の制御下でバッファリングされた送信パケットを符号器６１２に提供する。
【００８２】
符号器６１２は、メッセージ生成器６０４及びデータバッファ６０８から提供されるパケットを決まったＭＣＳ（Ｍｏｄｕｌａｔｉｏｎ  ａｎｄ  Ｃｏｄｉｎｇ  Ｓｃｈｅｍｅ）レベルに応じて符号化（ｃｏｄｉｎｇ）する。シンボル変調器６１４は、符号器６１２から提供されるデータを決まったＭＣＳレベルに応じて変調（ｍｏｄｕｌａｔｉｏｎ）する。ＣＱＩチャネル生成器６０６は、制御部６０２の制御下で該当ＣＱＩＣＨコードワードを生成する。特に、ｅｒｔＰＳコネクションの再開を要請する場合、ＣＱＩチャネル生成器６０６は、ｅｒｔＰＳコネクションの再開要請のために指定されたＣＱＩＣＨコードワードを生成する。ＣＱＩチャネルは、ダウンリンクチャネル情報及び特殊目的（ＦＢＳＳ、ｅｒｔＰＳ等）のために使用されることができる。
【００８３】
副搬送波マッパー６１６は、シンボル復調器６１４及びＣＱＩチャネル生成器６０５からのデータを副搬送波にマッピングする。ＯＦＤＭ変調器６０８は、副搬送波にマッピングされたデータをＩＦＦＴ（Ｉｎｖｅｒｓｅ  Ｆａｓｔ  Ｆｏｕｒｉｅｒ  Ｔｒａｎｓｆｏｒｍ）演算することによって、時間領域サンプルデータに変換し、サンプルデータにＣＰ（Ｃｙｃｌｉｃ  Ｐｒｅｆｉｘ）を追加することによって、ＯＦＤＭシンボルを構成する。ＲＦ送信機６２０は、ＯＦＤＭ変調器６１８から提供されるＯＦＤＭシンボルをアナログ信号に変換し、アナログ信号をＲＦ信号にアップ変換した後、アンテナを介して送信する。
【００８４】
ＲＦ受信機６２２は、アンテナを介して受信されたＲＦ信号をベースバンド信号に変換し、ベースバンド信号をサンプルデータに変換する。ＯＦＤＭ復調器６２４は、ＲＦ受信機６２２から提供されるサンプルデータをＦＦＴ（Ｆａｓｔ  Ｆｏｕｒｉｅｒ  Ｔｒａｎｓｆｏｒｍ）演算することによって、周波数領域のデータに変換する。副搬送波デマッパー６２６は、周波数領域のデータをＭＣＳレベル（ｍｏｄｕｌａｔｉｏｎ  ａｎｄ  ｃｏｄｉｎｇ  ｓｃｈｅｍｅ）レベル単位に分類する。
【００８５】
シンボル復調器６２８は、副搬送波デマッパー６２６から提供されるバーストデータを決まったＭＣＳレベルに応じて復調する。復号器６３０は、シンボル復調器６２８から提供されるデータを決まったＭＣＳレベルに応じて復号する。復号器６３０からのデータのうち、トラフィックのためのパケットは、データバッファ６０８に提供され、シグナルリングのためのパケットは、メッセージ解析器６１０に提供される。メッセージ解析器６１０は、復号器６１０から提供されるシグナルリングメッセージを解析することによって、メッセージの内容（ｃｏｎｔｅｘｔ）を確認し、内容を制御部６０２に提供する。
【００８６】
図６の構成に基づいて、ｅｒｔＰＳコネクションの再開による端末動作を述べる。
【００８７】
まず、本発明の第１の実施の形態によれば、制御部６０２は、現在設定されている少なくとも一つのｅｒｔＰＳコネクションに対して、ｅｒｔＰＳ  ＣＱＩＣＨコードワードを一対一にマッピングして管理する。任意のｅｒｔＰＳコネクションのサービスが再開される場合、制御部６０２は、サービスが再開されるｅｒｔＰＳコネクションのｅｒｔＰＳ  ＣＱＩＣＨコードワードを確認し、確認されたコードワードをＣＱＩチャネル生成器６０６に知らせる。このとき、同時に複数のｅｒｔＰＳコネクションがサービスを再開する場合、制御部６０２は、複数のｅｒｔＰＳコネクションに対するコードワードをＣＱＩチャネル生成器６０６に知らせる。すると、ＣＱＩチャネル生成器６０６は、制御部６０２を制御して該当ＣＱＩＣＨコードワードを生成して副搬送波マッパー６１６に提供する。副搬送波マッパー６１６に提供されたＣＱＩＣＨコードワードは、端末が割り当てられたＣＱＩチャネルを介して基地局に送信される。万一、同時に複数のｅｒｔＰＳコネクションがサービスを再開する場合、ＣＱＩチャネル生成器６０６は、制御部６０２の制御下で再開される複数のｅｒｔＰＳコネクションに対する複数のＣＱＩＣＨコードワードを順次生成する。すなわち、ＣＱＩＣＨコードワードを毎ＣＱＩフィードバック周期ごとに基地局に順次送信する。
【００８８】
次に、第２の実施の形態によれば、任意のｅｒｔＰＳコネクションのサービスが再開される場合、ＣＱＩＣチャネル生成器６０６は、制御部６０２の制御下で再開要請のための、すなわち、待機中であるｅｒｔＰＳデータの存在を知らせるためのＣＱＩＣＨコードワードを生成する。生成されたＣＱＩＣＨコードワードは、端末に割り当てられたＣＱＩチャネルを介して基地局に送信される。ＣＱＩＣＨコードワードを基地局に送信した後、制御部６０２は、基地局にアップリンク資源が割り当てられているか否かを判断する。アップリンク資源が割り当てられた場合、制御部６０２は、再開されるｅｒｔＰＳコネクションのＭＡＣ  ＰＤＵの送信を指示する。このとき、同時に複数のｅｒｔＰＳコネクションがサービスを再開する場合、制御部６０２は、複数のｅｒｔＰＳコネクションのＭＡＣ  ＰＤＵの送信を指示する。すなわち、データバッファ６０８は、制御部６０２の制御下で少なくとも一つのｅｒｔＰＳコネクションのＭＡＣ  ＰＤＵを物理階層処理部に提供する。以後、ｅｒｔＰＳ  ＭＡＣ  ＰＤＵは、物理階層エンコーディングされて、割り当てられたアップリンク資源を介して基地局に送信される。
【００８９】
次に、第３の実施の形態によれば、待機中であるｅｒｔＰＳデータの存在を知らせるためのＣＱＩＣＨコードワードを送信した後、アップリンク資源が割り当てられた場合、制御部６０２は、再開されるｅｒｔＰＳコネクションに対するＢＲＨの作成を指示する。このとき、同時に複数のｅｒｔＰＳコネクションがサービスを再開した場合、制御部６０２は、複数のｅｒｔＰＳコネクションに対するＢＲＨの作成を指示する。すなわち、メッセージ生成器６０４は、制御部６０２の制御下で少なくとも一つのＢＲＨを作成して、物理階層処理部に提供する。その後、少なくとも一つのＢＲＨは、物理階層エンコーディングされて、割り当てられたアップリンク資源を介して基地局に送信される。
【００９０】
次に、第４の実施の形態によれば、待機中であるｅｒｔＰＳデータの存在を知らせるためのＣＱＩＣＨコードワードを送信した後、アップリンク資源が割り当てられた場合、制御部６０２は、再開されるｅｒｔＰＳコネクションのＭＡＣ  ＰＤＵ送信を指示する。このとき、同時に複数のｅｒｔＰＳコネクションがサービスを再開した場合、制御部６０２は、再開されるｅｒｔＰＳコネクションを指示するための拡張サブヘッダ（ｅｘｔｅｎｄｅｄ  ｓｕｂｈａｄｅｒ）の作成を指示する。すると、メッセージ生成器６０４は、再開されるｅｒｔＰＳコネクションを指示するビットマップを含む拡張サブヘッダを生成する。以後、送信ｅｒｔＰＳ  ＭＡＣ  ＰＤＵに拡張サブヘッダを含めて、物理階層処理部に提供する。このとき、ｅｒｔＰＳ  ＭＡＣ  ＰＤＵのＣＩＤに対応するビットマップの該当位置は、基本的に「１」と設定されうるが、基地局がｅｒｔＰＳ  ＭＡＣ  ＰＤＵを介して該当ＣＩＤを獲得できるので、他の実施の形態としてｅｒｔＰＳ  ＭＡＣ  ＰＤＵのＣＩＤに対応するビットマップの位置は、「０」と設定されることができる。
【００９１】
次に、第５の実施の形態によれば、待機中であるｅｒｔＰＳデータの存在を知らせるためのＣＱＩＣＨコードワードを送信した後、アップリンク資源が割り当てられた場合、制御部６０２は、再開されるｅｒｔＰＳコネクションのＭＡＣ  ＰＤＵ送信を指示する。このとき、同時に複数のｅｒｔＰＳコネクションがサービスを再開した場合、制御部６０２は、再開されるｅｒｔＰＳコネクションを指示するためのＢＲＨの作成を指示する。すると、メッセージ生成器６０４は、再開されるｅｒｔＰＳコネクションを指示するビットマップを含むＢＲＨを生成する。その後、送信ｅｒｔＰＳ  ＭＡＣ  ＰＤＵに拡張サブヘッダを含めて物理階層処理部に提供する。このとき、ｅｒｔＰＳ  ＭＡＣ  ＰＤＵのＣＩＤに対応するビットマップの該当位置は、基本的に「１」と設定されうるが、基地局が該当ＣＩＤは、ｅｒｔＰＳ  ＭＡＣ  ＰＤＵを介して獲得できるので、他の実施の形態としてｅｒｔＰＳ  ＭＡＣ  ＰＤＵのＣＩＤに対応するビットマップの位置は、「０」と設定されることもできる。
【００９２】
図７は、本発明の実施の形態による無線通信システムにおける基地局の構成を示している。
【００９３】
図７に示すように、基地局は、ＲＦ受信機７０２、ＯＦＤＭ復調器７０４、副搬送波デマッパー７０６、シンボル復調器７０８、復号器７１０、符号器７１２、シンボル変調器７１４、副搬送波マッパー７１６、ＯＦＤＭ変調器７１８、ＲＦ送信機７２０、ＣＱＩチャネル復調器７２２、メッセージ解析器７２４、データバッファ７２６、メッセージ生成器７２８及び制御部７３０を備える。
【００９４】
ＲＦ受信機７０２は、アンテナを介して受信されたＲＦ信号をベースバンド信号にダウン変換し、ベースバンド信号をサンプルデータに変換する。ＯＦＤＭ復調器７０４は、ＲＦ受信機７０２からのベースバンドサンプルデータをＦＦＴ（Ｆａｓｔ  Ｆｏｕｒｉｅｒ  Ｔｒａｎｓｆｏｒｍ）演算することによって、周波数領域のデータに変換する。副搬送波デマッパー７０６は、周波数領域のデータをＭＣＳレベル（ｍｏｄｕｌａｔｉｏｎ  ａｎｄ  ｃｏｄｉｎｇ  ｓｃｈｅｍｅ）単位に分類して、シンボル復調器７０８に提供する。また、副搬送波デマッパー７０６は、周波数領域のデータからＣＱＩチャネルのデータを取り出して、ＣＱＩチャネル復調器７２２に提供する。
【００９５】
ＣＱＩチャネル復調器７２２は、副搬送波デマッパー７０６からのデータを復調して、各ＣＱＩチャネルを介して受信されたコードワードを検出し、検出されたコードワードに対応する情報、例えば、ＣＱＩ情報を制御部７３０に提供する。シンボル復調器７０８は、副搬送波デマッパー７０６からのバーストデータを決まったＭＣＳレベルに応じて復調する。復号器７１０は、シンボル復調器７０８からのデータを決まった方式で復号する。復号器７１０からのデータのうち、トラフィックのためのパケットは、データバッファ７２６に提供され、シグナルリングのためのパケットは、メッセージ解析器７２４に提供される。
【００９６】
メッセージ解析器７２４は、復号器７１０から提供されるシグナルリングメッセージを解析することによって、メッセージの内容を確認し、内容を制御部７３０に提供する。制御部７３０は、基地局の全般的な動作を制御し、資源スケジューリングを行うと仮定する。メッセージ生成器７２８は、制御部７３０の制御下でシグナルリングメッセージ（例：ＭＡＣ  ｍａｎａｇｅｍｅｎｔ  ｍｅｓｓａｇｅ）を生成して符号器７１２に提供する。データバッファ７２６は、送信パケット（例：ＭＡＣ  ＰＤＵ）をコネクション別にバッファリングし、制御部７３０の制御下でバッファリングされた送信パケットを符号器７１２に提供する。符号器７１２は、メッセージ生成器７２８及びデータバッファ７２６からのパケットを決まったＭＣＳレベルに応じて符号化する。シンボル変調器７１４は、符号器７１２からのデータを決まったＭＣＳレベルに応じて変調する。
【００９７】
副搬送波マッパー７１６は、シンボル復調器７１４からのデータを副搬送波にマッピングする。ＯＦＤＭ変調器７１８は、副搬送波マッパー７１６からのデータをＩＦＦＴ演算することによって、サンプルデータに変換し、サンプルデータにＣＰを追加することによって、ＯＦＤＭシンボルを構成する。ＲＦ送信機７２０は、ＯＦＤＭ変調器７１８からのＯＦＤＭシンボルをアナログ信号に変換し、アナログ信号をＲＦ信号にアップ変換した後、アンテナを介して送信する。
【００９８】
図７の構成に基づいて、ｅｒｔＰＳコネクションの再開による基地局の動作を述べる。
【００９９】
まず、本発明の第１の実施の形態によれば、ＣＱＩチャネル復調器７２２は、各端末から受信されるＣＱＩＣＨコードワードを検出して制御部７３０に提供する。制御部７３０は、検出されたＣＱＩＣＨコードワードを検査して、任意の端末からｅｒｔＰＳコネクションに対する再開が要請されたか否かを判断する。このとき、再開が要請された場合、制御部７３０は、検出されたＣＱＩＣＨコードワードが、予め決まった複数のｅｒｔＰＳコネクションＣＱＩＣＨコードワードのうち何番目であるかを判断し、その判断によって再開を要請したコネクション（ｅｒｔＰＳコネクション）を判別する。制御部７３０は、判別されたｅｒｔＰＳコネクションの最大保障送信率に応じてアップリンク資源を端末に割り当てる。
【０１００】
次に、本発明の第２の実施の形態によれば、端末からｅｒｔＰＳコネクションの再開を要請するためのＣＱＩＣＨコードワードが受信された場合、制御部７３０は、現在端末に対して設定されている少なくとも一つのｅｒｔＰＳコネクションのうち、最も大きな最大保障送信率を基準にアップリンク資源を割り当てる。又は、他の実施の形態として、現在サービスが一時中止されたｅｒｔＰＳコネクションのうち、最も大きな最大保障送信率を基準にアップリンク資源を割り当てることができる。その後、メッセージ解析器７２８は、割り当てられたアップリンク資源を介して受信されたｅｒｔＰＳ  ＭＡＣ  ＰＤＵを解析して制御部７３０に提供する。このとき、複数のｅｒｔＰＳコネクションに対するＭＡＣ  ＰＤＵが受信された場合、制御部７３０は、各ｅｒｔＰＳコネクションに対して最大保障送信率を基準にアップリンク資源を端末に割り当てる。
【０１０１】
次に、本発明の第３の実施の形態によれば、端末からｅｒｔＰＳコネクションの再開を要請するためのＣＱＩＣＨコードワードが受信された場合、制御部７３０は、現在端末に対して設定されている少なくとも一つのｅｒｔＰＳコネクションのうち、最も大きな最大保障送信率を基準にアップリンク資源を割り当てる。又は、他の実施の形態として、現在サービスが一時中止されたｅｒｔＰＳコネクションのうち、最も大きな最大保障送信率を基準にアップリンク資源を割り当てることができる。以後、メッセージ解析器７２８は、割り当てられたアップリンク資源を介して受信されたＢＲＨを解析して、制御部７３０に提供する。このとき、複数のｅｒｔＰＳコネクションに対するＢＲＨが受信された場合、制御部７３０は、各ｅｒｔＰＳコネクションに対して要請された帯域幅（又は最大保障送信率）を基準にアップリンク資源を端末に割り当てる。
【０１０２】
次に、本発明の第４の実施の形態によれば、端末からｅｒｔＰＳコネクションの再開を要請するためのＣＱＩＣＨコードワードが受信された場合、制御部７３０は、現在端末に対して設定されている少なくとも一つのｅｒｔＰＳコネクションのうち、最も大きな最大保障送信率を基準にアップリンク資源を割り当てる。又は他の実施の形態として、現在サービスが一時中止されたｅｒｔＰＳコネクションのうち、最も大きな最大保障送信率を基準にアップリンク資源を割り当てることができる。以後、メッセージ解析器７２８は、割り当てられたアップリンク資源を介して受信されたｅｒｔＰＳ  ＭＡＣ  ＰＤＵを解析して、制御部７３０に提供する。このとき、ｅｒｔＰＳ  ＭＡＣ  ＰＤＵが拡張サブヘッダを含む場合、メッセージ解析器７２８は、拡張サブヘッダから再開されるｅｒｔＰＳコネクションを指示するビットマップを取り出して、制御部７３０に提供する。このように、拡張サブヘッダの含まれたｅｒｔＰＳ  ＭＡＣ  ＰＤＵが受信された場合、制御部７３０は、ビットマップに基づいて再開されるｅｒｔＰＳコネクションを判別し、各ｅｒｔＰＳコネクションに対して最大保障送信率を基準にアップリンク資源を端末に割り当てる。
【０１０３】
次に、本発明の第５の実施の形態によれば、端末からｅｒｔＰＳコネクションの再開を要請するためのＣＱＩＣＨコードワードが受信された場合、制御部７３０は、現在端末に対して設定されている少なくとも一つのｅｒｔＰＳコネクションのうち、最も大きな最大保障送信率を基準にアップリンク資源を割り当てる。又は、他の実施の形態として、現在サービスが一時中止されたｅｒｔＰＳコネクションのうち、最も大きな最大保障送信率を基準にアップリンク資源を割り当てることができる。以後、メッセージ解析器７２８は、割り当てられたアップリンク資源を介して受信されたｅｒｔＰＳ  ＭＡＣ  ＰＤＵを解析して、制御部７３０に提供する。このとき、ｅｒｔＰＳ  ＭＡＣ  ＰＤＵがＢＲＨを含む場合、メッセージ解析器７２８は、ＢＲＨから再開されるｅｒｔＰＳコネクションを指示するビットマップを取り出して、制御部７３０に提供する。このように、ＢＲＨの含まれたｅｒｔＰＳ  ＭＡＣ  ＰＤＵが受信された場合、制御部７３０は、ビットマップに基づいて再開されるｅｒｔＰＳコネクションを判別し、各ｅｒｔＰＳコネクションに対して最大保障送信率を基準にアップリンク資源を端末に割り当てる。
【０１０４】
広帯域無線通信システムにおいて、基地局がｅｒｔＰＳコネクションの再開要請に対するＣＱＩ（Ｃｈａｎｎｅｌ  Ｑｕａｌｉｔｙ  Ｉｎｄｉｃａｔｏｒ）コードワード受信時に、最も大きな最大保障送信率に応じてアップリンク資源を割り当てることによって、複数の中止されたｅｒｔＰＳコネクションを保有した端末がＣＱＩＣＨコードワードを利用してｅｒｔＰＳコネクションの再開を要請できる。さらに、ビットマップ（ｂｉｔｍａｐ）を利用して複数のｅｒｔＰＳコネクションの目録を伝達することによって、端末は、同時に複数のｅｒｔＰＳコネクションに対する再開を要請することができる。
【図１】
0005430584.tif 000004
【図２】
0005430584.tif 000005
【図３】
0005430584.tif 000006
【図４】
0005430584.tif 000007
【図５】
0005430584.tif 000008
【図６】
0005430584.tif 000009
【図７】
0005430584.tif 000010